(57)【要約】【課題】画像形成に関する各種設定や画面表示における操作性の向上を図ることである。【解決手段】本発明の画像形成装置を適用した複写機Ｃは、タッチパネル６５に表示する各画面に画面番号が付与されており、テンキー操作によって画面番号が指定されると、タッチパネル６５は、指定された画面番号に対応する画面を表示する。また、タッチパネル６５上の各設定ボタンの左上には、ボタン番号が付与されており、テンキー操作によってボタン番号が指定されると、ＣＰＵ６０は、指定された設定ボタンが示す設定に必要な制御を行う。【選択図】　　　　　　図５
2004070112.tif 000002
【特許請求の範囲】
【請求項１】
画像形成に関する情報を画面表示するための画面データと、その画面データを識別するための識別番号とを対応付けて記憶する記憶手段と、
前記記憶手段に記憶された識別番号を入力する入力手段と、
前記入力手段により識別番号が入力されると、当該識別番号に対応する画面データを前記記憶手段から読み出す読出手段と、
前記読出手段により読み出された画面データに従って画面表示を行う表示手段と、
を備えることを特徴とする画像形成装置。
【請求項２】
前記入力手段において、前記画面データに対応する識別番号が、テンキー操作により入力されることを特徴とする請求項１記載の画像形成装置。
【請求項３】
通信ネットワークを介して外部機器に接続され、
画像形成に関する情報を表示するための画面データと、その画面データを識別するための識別番号とを対応付けて記憶する記憶手段と、
前記外部機器から、前記記憶手段に記憶された識別番号のデータを受信する受信手段と、
前記受信手段により識別番号のデータを受信すると、当該識別番号に対応する画面データを前記記憶手段から読み出す読出手段と、
前記読出手段により読み出された画面データに従って画面表示を行う表示手段と、
を備えることを特徴とする画像形成装置。
【請求項４】
前記記憶手段は、画像形成に関する情報を表示するための画面データと、当該画面データの識別番号と、当該画面データの名称とを対応付けて記憶し、
前記記憶手段に記憶された画面データには、当該画面データの識別番号及び名称を画面表示するためのデータが含まれていることを特徴とする請求項１〜３の何れか一項に記載の画像形成装置。
【請求項５】
画像形成に関する各種設定を行うための設定項目及びその設定項目を識別するための識別番号を表示する表示手段と、
前記表示手段により表示された識別番号を入力する入力手段と、
前記入力手段により識別番号が入力されると、当該識別番号に対応する設定項目が示す設定に必要な制御を行う制御手段と、
を備えることを特徴とする画像形成装置。
【請求項６】
前記入力手段において、前記設定項目に対応する識別番号が、テンキー操作により入力されることを特徴とする請求項５記載の画像形成装置。
【請求項７】
通信ネットワークを介して外部機器に接続され、
画像形成に関する各種設定を行うための設定項目及びその設定項目を識別するための識別番号を表示する表示手段と、
前記外部機器から、前記表示手段により表示された識別番号のデータを受信する受信手段と、
前記受信手段により識別番号のデータを受信すると、当該識別番号に対応する設定項目が示す設定に必要な制御を行う制御手段と、
を備えることを特徴とする画像形成装置。
【発明の詳細な説明】
【０００１】
【発明の属する技術分野】
本発明は、画像形成装置に関する。
【０００２】
【従来の技術】
近年、複写機やプリンタ等の画像形成装置では、デジタル化に伴い、多機能化、高機能化が進み、一画像の出力に際して設定が必要な項目が多岐にわたり、操作パネル（タッチパネル）上に表示可能な画面数及び操作ボタン数が、アナログの時代に比べて格段に多くなった。最近では、画像形成装置における操作パネルの大型化が進んできている。また、最近の画像形成装置では、操作パネルに表示する文字を大きくする等、目の不自由な方や高齢者に対する配慮がなされている。
【０００３】
【発明が解決しようとする課題】
しかしながら、上述の画像形成装置においては、操作パネルの大型化が進んではいるとはいえ、複写機能の設定のために必要な情報量が多くなっているために充分とは言えず、画面の切り替え操作が必要であった。特に、操作パネル上に表示する文字を大きくすると、一画面に表示可能な情報量が少なくなるため、複写機能の設定のために、画面をいくつも切り替えなければならず、画面の切り替え操作は、ユーザにとって面倒であるという問題があった。特に、このような度重なる画面の切り替え操作は、身体の不自由な人間にとっては不便であるという問題があった。
【０００４】
本発明の課題は、画像形成に関する各種設定や画面表示における操作性の向上を図ることである。
【０００５】
【課題を解決するための手段】
請求項１記載の発明は、
画像形成に関する情報を画面表示するための画面データと、その画面データを識別するための識別番号とを対応付けて記憶する記憶手段と、
前記記憶手段に記憶された識別番号を入力する入力手段と、
前記入力手段により識別番号が入力されると、当該識別番号に対応する画面データを前記記憶手段から読み出す読出手段と、
前記読出手段により読み出された画面データに従って画面表示を行う表示手段と、
を備えることを特徴としている。
【０００６】
この請求項１記載の発明によれば、画面データを識別するための識別番号の入力によって、自動的に当該画面データに従った画面表示を行うことにより、画面表示における操作性を向上させることができる。
【０００７】
請求項２記載の発明は、請求項１記載の発明において、
前記入力手段において、前記画面データに対応する識別番号が、テンキー操作により入力されることを特徴としている。
【０００８】
請求項２記載の発明によれば、画面データを識別するための識別番号を、テンキー操作により入力可能にしたことにより、ユーザがわざわざ操作画面上で手を動かすことなく、分かり易い位置に配置されたテンキーで、画面の切り替えを行うことができる。
【０００９】
請求項３記載の発明は、
通信ネットワークを介して外部機器に接続され、
画像形成に関する情報を表示するための画面データと、その画面データを識別するための識別番号とを対応付けて記憶する記憶手段と、
前記外部機器から、前記記憶手段に記憶された識別番号のデータを受信する受信手段と、
前記受信手段により識別番号のデータを受信すると、当該識別番号に対応する画面データを前記記憶手段から読み出す読出手段と、
前記読出手段により読み出された画面データに従って画面表示を行う表示手段と、
を備えることを特徴としている。
【００１０】
請求項３記載の発明によれば、画面データを識別するための識別番号を、外部機器から通信ネットワークを介して入力可能にしたことにより、ユーザは、手元にある機器から画面の切り替えを行うことができ、画像形成装置の利便性を向上させることができる。
【００１１】
請求項４記載の発明は、請求項１〜３の何れか一項に記載の発明において、
前記記憶手段は、画像形成に関する情報を表示するための画面データと、当該画面データの識別番号と、当該画面データの名称とを対応付けて記憶し、
前記記憶手段に記憶された画面データには、当該画面データの識別番号及び名称を画面表示するためのデータが含まれていることを特徴としている。
【００１２】
請求項４記載の発明によれば、画面データの識別番号及び名称を表示することが可能になることにより、ユーザは、画面データの識別番号を確認することができる。
【００１３】
請求項５記載の発明は、
画像形成に関する各種設定を行うための設定項目及びその設定項目を識別するための識別番号を表示する表示手段と、
前記表示手段により表示された識別番号を入力する入力手段と、
前記入力手段により識別番号が入力されると、当該識別番号に対応する設定項目が示す設定に必要な制御を行う制御手段と、
を備えることを特徴としている。
【００１４】
請求項５記載の発明によれば、画像形成に関する設定項目を識別するための識別番号の入力によって、自動的に当該設定項目が示す設定に必要な制御を行うことにより、画像形成に関する各種設定における操作性を向上させることができる。
【００１５】
請求項６記載の発明は、請求項５記載の発明において、
前記入力手段において、前記設定項目に対応する識別番号が、テンキー操作により入力されることを特徴としている。
【００１６】
請求項６記載の発明によれば、画像形成に関する設定項目を識別するための識別番号を、テンキー操作により入力可能にしたことにより、ユーザがわざわざ操作画面上で手を動かすことなく、分かり易い位置に配置されたテンキーで、各種設定を行うことができる。
【００１７】
請求項７記載の発明は、
通信ネットワークを介して外部機器に接続され、
画像形成に関する各種設定を行うための設定項目及びその設定項目を識別するための識別番号を表示する表示手段と、
前記外部機器から、前記表示手段により表示された識別番号のデータを受信する受信手段と、
前記受信手段により識別番号のデータを受信すると、当該識別番号に対応する設定項目が示す設定に必要な制御を行う制御手段と、
を備えることを特徴としている。
【００１８】
請求項７記載の発明によれば、画像形成に関する設定項目を識別するための識別番号を、外部機器から通信ネットワークを介して入力可能にしたことにより、ユーザは、手元にある機器から各種設定を行うことができ、画像形成装置の利便性を向上させることができる。
【００１９】
【発明の実施の形態】
以下、図を参照して本発明の実施の形態を詳細に説明する。
ここで、図２に示した本実施の形態における複写機Ｃと、特許請求の範囲における画像形成装置との対応関係を明示する。図２のＲＯＭ６１及び操作情報記憶部７１は、記憶手段としての機能を有し、キー入力部６８は、入力手段としての機能を有する。また、ＣＰＵ６０は、読出手段及び制御手段としての機能を有し、タッチパネル６５及びＬＣＤ６７は、表示手段としての機能を有する。更に、外部通信部５８は、受信手段としての機能を有する。
【００２０】
まず、構成を説明する。
図１は、本発明の画像形成装置を適用した複写機Ｃの断面図である。図１に示すように、複写機Ｃは、画像形成部１０、画像読取部２０、後処理部３０等により構成される。
【００２１】
画像形成部１０は、電子写真方式により記録紙上に画像を形成するためのユニットで、感光体１１上に、帯電、露光、現像によりトナー像を形成し、感光体１１上に形成されたトナー像を記録紙に転写する像形成ユニット１２、記録紙を収納する給紙部１３、両面画像形成用の記録紙反転部１４及び記録紙上のトナー像を定着する定着器１５を備える。
【００２２】
画像読取部２０は、原稿の画像を読み取って画像データを出力するためのユニットで、原稿を載置するための原稿給紙台２１、原稿を搬送し、読取位置を形成するプラテンローラ２２、読取済み原稿が載置される原稿排紙台２３、画像光を受光して電気信号に変換するイメージセンサ２４を備える。
【００２３】
後処理部３０は、画像形成部１０から排出された記録紙に対してソーティング、ステープリング、パンチング等の後処理を行う。
【００２４】
図２は、本実施の形態の複写機Ｃ内部の電気的構成を示すブロック図である。複写機Ｃは、図２に示すように、本体部５及び操作／音声部６により構成される。
【００２５】
本体部５は、ＣＰＵ５０、ＲＯＭ５１、ＲＡＭ５２、不揮発ＲＡＭ５３、入出力ポート５４、シリアル通信制御ユニット５５、画像読取部５６、画像形成部５７、外部通信部５８により構成される。
【００２６】
本体部５において、ＣＰＵ（Ｃｅｎｔｒａｌ　Ｐｒｏｃｅｓｓｉｎｇ　Ｕｎｉｔ）５０は、ＲＯＭ５１に格納された複写機用の制御プログラムに従って、本体部５内の各部を制御する。ＲＯＭ（Ｒｅａｄ　Ｏｎｌｙ　Ｍｅｍｏｒｙ）５１は、ＣＰＵ５０により実行される各種制御プログラムを格納する。
【００２７】
ＲＡＭ（Ｒａｎｄｏｍ　Ａｃｃｅｓｓ　Ｍｅｍｏｒｙ）５２は、ＣＰＵ５０により実行される各種制御プログラム等を、ＲＡＭ５２内のプログラム格納領域に展開するとともに、入力データや、上記各種制御プログラムが実行される際に生じる処理結果等をワークエリアに一時的に格納する。不揮発ＲＡＭ５３は、複写機Ｃの各種設定パラメータを格納している。
【００２８】
入出力ポート５４は、ＣＰＵ５０が周辺デバイスとの間で各種データのやり取りを行ったり、周辺デバイスのステータスをＣＰＵ５０が読み取ったりするためのポートである。シリアル通信制御ユニット５５は、本体部５と操作／音声部６との間の通信を制御する。画像読取部５６及び画像形成部５７は、それぞれ、図１における画像読取部２０、画像形成部１０の電気的構成を示す。
【００２９】
外部通信部５８は、ＬＡＮ（Ｌｏｃａｌ　Ａｒｅａ　Ｎｅｔｗｏｒｋ）等の通信ネットワークに接続された外部機器（パーソナルコンピュータ、携帯電話等）との間の通信を制御する。
【００３０】
図２において、操作／音声部６は、ＣＰＵ６０、ＲＯＭ６１、ＲＡＭ６２、入出力ポート６３、シリアル通信制御ユニット６４、タッチパネル６５、ＬＣＤコントローラ６６、ＬＣＤ６７、キー入力部６８、音声データ記憶部６９、音声出力部７０、操作情報記憶部７１により構成される。
【００３１】
ＣＰＵ６０は、ＲＯＭ６１に格納された複写機Ｃの各種操作や表示のための制御プログラムに従って、操作／音声部６内の各部を制御する。
【００３２】
ＲＯＭ６１は、ＣＰＵ６０により実行される各種制御プログラムや、これらの制御プログラムで使用されるデータ等を格納する。
【００３３】
例えば、ＲＯＭ６１は、タッチパネル６５に表示される画面毎に、画面データと、画面の名称を示すデータとを対応付けて格納している。
【００３４】
また、ＲＯＭ６１は、画像形成に関する各種設定を行うための設定項目を識別するための識別番号を格納している。図５及び図６に示したタッチパネル６５上の表示画面において、設定項目を示す各ボタンの左上に表示されている番号が識別番号である。以後、この識別番号をボタン番号と称する。なお、このボタン番号を、後述する操作情報記憶部７１に記憶させるようにしてもよい。
【００３５】
ＲＡＭ６２は、ＣＰＵ６０により実行される制御プログラムを、ＲＡＭ６２内のプログラム格納領域に展開するとともに、入力データや、制御プログラムが実行される際に生じる処理結果等をワークエリアに一時的に格納する。
【００３６】
入出力ポート６３は、ＣＰＵ６０が周辺デバイスとの間で各種データのやり取りを行ったり、周辺デバイスのステータスをＣＰＵ６０が読み取ったりするためのポートである。シリアル通信制御ユニット６４は、本体部５と操作／音声部６との間の通信を制御する。
【００３７】
タッチパネル６５は、ＬＣＤ６７を覆うように設けられ、電磁誘導式、磁気歪式、感圧式等の座標読み取り原理でタッチ指示された座標を検出し、検出した座標を位置信号としてＣＰＵ６０に出力する。
【００３８】
ＬＣＤ（Ｌｉｑｕｉｄ　Ｃｒｙｓｔａｌ　Ｄｉｓｐｌａｙ）コントローラ６６は、ＣＰＵ６０からの表示信号に従って、ＬＣＤ６７における表示の制御を行う。
【００３９】
ＬＣＤ６７は、ＬＣＤコントローラ６６から入力された制御信号に従って、所要の表示を行う。ＬＣＤ６７（又はタッチパネル６５）に表示される設定一覧画面、基本画面Ｇ、応用画面▲１▼、枠消し／折目消し設定画面を、それぞれ、図４、図５、図６（ａ）、図６（ｂ）に示す。これらの画面の詳細は、後述する。
【００４０】
キー入力部６８は、コピースタートキー（図示せず）の他、図５の基本画面Ｇの下部に示すように、ＣＨキー、ＮＥＸＴキー、ＳＴＯＰキー、ＢＡＣＫキー、変更キー、設定キー、表示キー、釦キー、テンキー等のハードキーを備え、これらのキーの押下信号をＣＰＵ６０に出力する。
【００４１】
ＣＨキー（チェックキー）は、画像形成のための各種設定項目の音声ガイダンスの開始を指示するためのキーであり、ＮＥＸＴキーは、次の音声ガイダンスを指示するためのキーである。また、ＳＴＯＰキーは、音声ガイダンスの一時停止を指示するためのキーであり、ＢＡＣＫキーは、一つ手前の音声ガイダンスを指示するためのキーである。変更キーは、画像形成のための各種設定項目の内容の変更を指示するためのキーである。設定キー、表示キー、釦キーは、画面表示情報７１ａへの登録や、設定内容の変更、画面の切り替え等において使用されるキーである。
【００４２】
音声データ記憶部６９は、画像形成のための各設定項目の音声ガイダンスに必要な音声データを記憶している。
【００４３】
音声出力部７０は、スピーカ、Ｄ／Ａコンバータ及び増幅器（何れも図示せず）等により構成され、ＣＰＵ６０からの音声出力指示信号に従って、音声データ記憶部６９から取り出された音声データ（音声デジタル信号）をＤ／Ａコンバータによりアナログ信号に変換後、増幅器により所定の音量に増幅して、スピーカから音声として出力する。
【００４４】
操作情報記憶部７１は、キー入力部６８における操作に関する情報を格納している。
【００４５】
具体的には、操作情報記憶部７１は、画像形成に関する設定内容の画面表示するために必要な情報として、画面表示情報７１ａを格納している。画面表示情報７１ａは、後述の画面登録処理により登録された内容を格納したもので、図３に示すように、画像形成に関する設定内容を画面表示するための画面データ毎に、画面データを識別するための画面番号（識別番号）と、画面データの名称とを対応付けて記憶している。
【００４６】
図３に示した画面表示情報７１ａにおいて、画面番号「１」は、図５の基本画面Ｇを示し、画面番号「２」は、図６（ａ）の応用画面▲１▼を示し、画面番号「５」は、図６（ｂ）の枠消し／折目消し画面を示し、画面番号「１０」は、図４の設定一覧画面を示す。
【００４７】
図４は、タッチパネル６５に表示される画面番号１０の設定一覧画面を示している。設定一覧画面は、図４に示すように、画面番号と画面の名称の対応を示す画面である。この設定一覧画面は、ユーザが、表示させたい画面の番号を忘れた場合等に利用される。
【００４８】
図５は、タッチパネル６５に表示される基本画面Ｇ及びキー入力部６８における各種キーを示している。図５に示した基本画面Ｇは、複写機Ｃの標準的な使用における各種の設定項目の表示及び当該項目の入力を受け付けるための画面である。
【００４９】
図５において、基本画面Ｇは、メッセージエリア１００、画質／ローテーション表示エリア２００、プリント枚数／設定枚数表示エリア３００、予約ジョブのリストを表示するためのフォルダボタン４００及び画面設定エリア５００を有する。
【００５０】
メッセージエリア１００には、「コピーできます」、「原稿をセットして下さい」等のユーザに対する指示や、「予約リスト表示」のような機械の状態の説明が表示される。
【００５１】
画質／ローテーションエリア２００には、ノーマル、ファイン、スーパーファイン等の画質の表示及び画像の回転がアイコンで表示される。プリント枚数／設定枚数表示エリア３００には、プリント枚数及び設定枚数が表示される。
【００５２】
フォルダボタン４００には、５個の予約ジョブの状況、即ち、出力中（出力ＪＯＢ）、予約済みジョブ（予約ＪＯＢ）、予約設定中のジョブ（設定ＪＯＢ）、読み込み中のジョブ（読込ＪＯＢ）、空いているジョブ（空きＪＯＢ）のように表示される。
【００５３】
画面設定エリア５００には、片面か表面かを選択するための片面／両面選択エリア５０１、画像濃度を設定するためのコピー濃度エリア５０２、複写倍率を設定するための倍率エリア５０３、記録紙のサイズを選択するためのサイズ選択エリア５０４が表示される。画面設定エリア５００内の各設定項目を示すボタンの左上には、ボタン番号が表示されている。
【００５４】
図５の基本画面Ｇにおいて、６００は、出力の種類を選択するためのエリアである。このエリア６００において、ボタン番号１１は、ステープル位置を選択するためのステープル選択ボタンであり、ボタン番号１２は、パンチ、中折り、Ｚ折り、グルーピング等の機能を選択するための応用出力ボタンである。また、ボタン番号１３は、ソートしてステープルする出力モードのためのステープル／ソートボタンであり、ボタン番号１４は、ソートを選択するためのソートボタンである。
【００５５】
図５の基本画面Ｇにおいて、７００は、応用設定エリアである。この応用設定エリア７００において、ボタン番号５１は、応用機能ボタン（後述）であり、ボタン番号５２は、画像の回転を設定するためのローテーションボタンである。ボタン番号５３は、原稿設定ボタンであり、ボタン番号５４は、原稿読込ボタンである。応用設定エリア７００内の各ボタンは、階層表示を行うボタンであり、これらのボタンのタッチ指示又はテンキーによるボタン番号の指定により、該当する項目に関する設定画面が呼び出される。
【００５６】
図６（ａ）は、画面番号２の応用画面▲１▼を示す。この応用画面▲１▼は、後述の画面表示処理において、画面番号２を指定することにより表示される。また、図５に示した基本画面Ｇの表示中に、キー入力部６８によりボタン番号５１を指定することによって応用画面▲１▼を表示することができる。更に、基本画面Ｇ上で応用機能ボタンのタッチ指示によって、応用画面▲１▼を表示することもできる。
【００５７】
図６（ａ）において、ボタン番号１は、指定した枚数毎に、色紙或いは画像を記録しない白紙を挿入するためのインターシートボタン、ボタン番号２は、表面にする頁を指定するための章分けボタンである。ボタン番号３は、１頁に複数の画像を記録するための合成ボタン、ボタン番号４は、１枚の記録紙に２画像を記録し、綴じ順に合わせた頁順で画像を形成するための小冊子ボタンである。
【００５８】
ボタン番号５は、ＯＨＰと普通紙に同一の画像を形成するためのＯＨＰボタンであり、ボタン番号６は、自動原稿搬送装置を用いて読み取った画像データに対して、指定した頁に指定の画像を差し込むための差込ページボタンである。ボタン番号７は、原稿１頁の画像を、記録紙の２頁に分けて記録するためのページ連写ボタンであり、ボタン番号８は、画像を重ねて記録するためのオーバーレイボタンである。
【００５９】
ボタン番号９は、原稿の輪郭を検知して、輪郭外の画像を消去するための原稿外自動消去ボタンであり、ボタン番号１０は、白黒反転させるための白黒反転ボタンである。ボタン番号１１は、指定した画像を繰り返して記録するためのリピートボタンであり、ボタン番号１２は、画像の周囲の不要画像を消去するための枠／折目消しボタンである。図６（ａ）の応用画面▲１▼において、ボタン番号１２の枠／折目消しボタンが指定された場合、タッチパネル６５には、図６（ｂ）に示すような枠消し／折目消し設定画面が表示される。
【００６０】
ボタン番号１３は、原稿の位置を検知して、画像を中央に形成するための原稿位置補正ボタンであり、ボタン番号１４は、紙の厚さに応じて、画像形成条件を変更するための薄紙／厚紙ボタンである。ボタン番号１５は、とじしろを設定するためのとじしろボタンである。
【００６１】
次に、本実施の形態の動作を説明する。
まず、画面表示情報７１ａに画面番号及び画面の名称を登録する画面登録処理について説明する。
【００６２】
まず、ユーザは、タッチパネル６５上でのタッチ指示等により、タッチパネル６５に、画面表示情報７１ａに登録する画面を表示させる。ユーザは、この画面を表示した状態で、「表示」キーを押したまま、テンキーにより、表示されている画面に付与する画面番号を押す。
【００６３】
画面番号の押下に続いて、テンキーの「Ｐ」キーが押下されると、ＣＰＵ６０は、現在表示中の画面の名称をＲＯＭ６１から読み出し、読み出した名称と、テンキーにより入力された画面番号とを対応付けて、画面表示情報７１ａに登録する。
【００６４】
次に、画面表示情報７１ａに登録された画面番号に対応する画面を表示するための画面表示処理を説明する。
【００６５】
ユーザは、キー入力部６８の「表示」キーの押下の後に、テンキーによって所望の画面の画面番号を入力し、再度「表示」キーを押下する。２度目の「表示」キーが押下されると、ＣＰＵ６０は、画面表示情報７１ａから、上記入力された画面番号に対応する名称を読み出す。そして、ＣＰＵ６０は、読み出された名称に対応する画面データをＲＯＭ６１から読み出して、当該画像データに従って、タッチパネル６５に画面表示させる。
【００６６】
もし、ユーザが、表示させたい画面の番号を忘れてしまった場合は、「表示」、「１」、「０」、「表示」の順番でキーを押下すれば、図４に示す画面番号１０の設定一覧画面が表示され、所望の画面の画面番号を確認することができる。
【００６７】
次に、タッチパネル６５に表示された各ボタンの指定をキー入力部６８によって行う場合の入力手順を説明する。
【００６８】
キー入力部６８の「釦」キーの押下に続いて、テンキーによって所望の設定項目のボタン番号を入力する。ボタン番号の入力に続いて、「釦」キーを押下すると、ＣＰＵ６０は、入力されたボタン番号に対応する設定項目のボタンが指定されたと判断し、所要の制御を行う。
【００６９】
以下、タッチパネル６５上のボタンの指定をキー入力部６８によって行う例として、コピーにおける枠消しの消去量を１５ｍｍに設定する場合の手順を説明する。
【００７０】
原稿給紙台２１に原稿がセットされ、タッチパネル６５に、図５に示す基本画面Ｇが表示されているとする。「釦」、「５」、「１」、「釦」の順番でキーが押下されると、ＣＰＵ６０は、ボタン番号５１の応用機能が指定されたと判断し、タッチパネル６５に、図６（ａ）に示す応用画面▲１▼を表示させる。
【００７１】
応用画面▲１▼が表示されているときに、「釦」、「１」、「２」、「釦」の順番でキーが押下されると、ＣＰＵ６０は、ボタン番号１２の枠／折目消しが指定されたと判断し、タッチパネル６５に、図６（ｂ）に示す枠消し／折目消し設定画面を表示させる。図６（ｂ）に示す枠消し／折目消し設定画面は、基本画面Ｇが表示されている状態から、「表示」、「５」、「表示」の順番でキーを押下することによって、表示させることもできる。
【００７２】
枠消し／折目消し設定画面において、枠消しの消去量が予め１０ｍｍにセットされているとする。この枠消し／折目消し設定画面において、「釦」、「１」、「釦」のキー操作が５回繰り返されると、枠消しの消去量として１５ｍｍが表示される。消去量が１５ｍｍになったところで、「釦」、「５」（ＯＫボタン）、「釦」の順番でキー入力されると、ＣＰＵ６０は、枠消しの消去量を１５ｍｍにセットし、タッチパネル６５の表示を、基本画面Ｇに戻す。
【００７３】
以上のように、本実施の形態の複写機Ｃによれば、従来、タッチパネル６５上で規定の操作を踏まなければ表示できなかった画面でも、画面番号の指定のみで表示させることができ、画面表示における操作性を向上させることができる。
【００７４】
また、キー入力部６８のキー操作により画面番号を指定可能にしたことで、ユーザが、わざわざタッチパネル６５上で手を動かすことなく、画面の切り替えを行うことができる。特に、ユーザが、頻繁に利用する画面の番号を登録し、その番号を覚えてしまえば、操作に要する時間を短縮することができる。たとえ、ユーザが、表示させたい画面の番号を忘れてしまっても、図４に示すような設定一覧画面により、画面番号を確認することができる。
【００７５】
タッチパネル６５に表示された画面上の各ボタンにボタン番号を割り当て、テンキー操作によるボタン番号の入力が、ボタンをタッチ指示したことと同様の機能を有することにより、わざわざタッチパネル６５上で手を動かすことなく、所望のボタンを選択することができ、操作性を向上させることができる。なお、ボタン番号についても、画面番号の場合と同様の方法で登録することができる。即ち、ユーザが頻繁に利用するボタンに番号を付与し、登録することが可能である。
【００７６】
なお、本実施における記述内容は、本発明の趣旨を逸脱しない範囲で適宜変更可能である。
【００７７】
例えば、本実施の形態では、画面番号やボタン番号を、キー入力部６８のキー操作により入力したが、通信ネットワークを介して、外部から入力することも可能である。
【００７８】
例えば、タッチパネル６５の表示を見ながら、携帯電話のキー操作により、画面番号やボタン番号を入力することができる。この場合、携帯電話の「♯」キーや「＊」キーを、複写機Ｃにおける「表示」キーや「釦」キーに対応させるようにしてよい。また、通信ネットワークに接続されたパーソナルコンピュータから、各種のキーを使用して、上述の入力を行うことができる。このようにすると、ユーザは、わざわざ、複写機Ｃのキー入力部６８に手を伸ばすことなく、手元にある携帯電話やパーソナルコンピュータから、タッチパネル６５の画面の切り替えや各種の設定操作を行うことが可能になり、複写機Ｃにおける利便性を向上させることができる。
【００７９】
【発明の効果】
請求項１記載の発明によれば、画面データを識別するための識別番号の入力によって、自動的に当該画面データに従った画面表示を行うことにより、画面表示における操作性を向上させることができる。
【００８０】
請求項２記載の発明によれば、請求項１記載の発明の効果に加えて、画面データを識別するための識別番号を、テンキー操作により入力可能にしたことにより、ユーザがわざわざ操作画面上で手を動かすことなく、分かり易い位置に配置されたテンキーで、画面の切り替えを行うことができる。
【００８１】
請求項３記載の発明によれば、画面データを識別するための識別番号を、外部機器から通信ネットワークを介して入力可能にしたことにより、ユーザは、手元にある機器から画面の切り替えを行うことができ、画像形成装置の利便性を向上させることができる。
【００８２】
請求項４記載の発明によれば、請求項１〜３の何れか一項に記載の発明の効果に加えて、画面データの識別番号及び名称を表示することが可能になることにより、ユーザは、画面データの識別番号を確認することができる。
【００８３】
請求項５記載の発明によれば、画像形成に関する設定項目を識別するための識別番号の入力によって、自動的に当該設定項目が示す設定に必要な制御を行うことにより、画像形成に関する各種設定における操作性を向上させることができる。
【００８４】
請求項６記載の発明によれば、請求項５記載の発明の効果に加えて、画像形成に関する設定項目を識別するための識別番号を、テンキー操作により入力可能にしたことにより、ユーザがわざわざ操作画面上で手を動かすことなく、分かり易い位置に配置されたテンキーで、各種設定を行うことができる。
【００８５】
請求項７記載の発明は、画像形成に関する設定項目を識別するための識別番号を、外部機器から通信ネットワークを介して入力可能にしたことにより、ユーザは、手元にある機器から各種設定を行うことができ、画像形成装置の利便性を向上させることができる。
【図面の簡単な説明】
【図１】本発明の画像形成装置を適用した複写機Ｃの断面図である。
【図２】本実施の形態の複写機Ｃの電気的構成を示すブロック図である。
【図３】操作情報記憶部７１に格納される画面表示情報７１ａを示す図である。
【図４】タッチパネル６５に表示される設定一覧画面を示す図である。
【図５】タッチパネル６５に表示される基本画面Ｇと、キー入力部６８が備える各種キーを示す図である。
【図６】タッチパネル６５に表示される応用画面▲１▼（同図（ａ））と、枠消し／折目消し設定画面（同図（ｂ））を示す図である。
【符号の説明】
１０　　画像形成部
１１　　感光体
１２　　像形成ユニット
１３　　給紙部
１４　　記録紙反転部
１５　　定着器
２０　　画像読取部
２１　　原稿給紙台
２２　　プラテンローラ
２３　　原稿排紙台
２４　　イメージセンサ
３０　　後処理部
５　　　本体部
５０　　ＣＰＵ
５１　　ＲＯＭ
５２　　ＲＡＭ
５３　　不揮発ＲＡＭ
５４　　入出力ポート
５５　　シリアル通信制御ユニット
５６　　画像読取部
５７　　画像形成部
５８　　外部通信部
６　　　操作／音声部
６０　　ＣＰＵ
６１　　ＲＯＭ
６２　　ＲＡＭ
６３　　入出力ポート
６４　　シリアル通信ユニット
６５　　タッチパネル
６６　　ＬＣＤコントローラ
６７　　ＬＣＤ
６８　　キー入力部
６９　　音声データ記憶部
７０　　音声出力部
７１　　操作情報記憶部
７１ａ　画面表示情報
Ｃ　複写機
Ｇ　基本画面
【図１】
2004070112.tif 000003
【図２】
2004070112.tif 000004
【図３】
2004070112.tif 000005
【図４】
2004070112.tif 000006
【図５】
2004070112.tif 000007
【図６】
2004070112.tif 000008